【手続補正書】
【提出日】平成22年2月4日(2010.2.4)
【手続補正１】
【補正対象書類名】特許請求の範囲
【補正対象項目名】全文
【補正方法】変更
【補正の内容】
【特許請求の範囲】
【請求項１】
ａ．流体密封の筐体内部に配置されたギアアセンブリと、
ｂ．該筐体内部に配置された潤滑剤と、
ｃ．該筐体内部と外部の間で流体の連通を提供する通路と、
ｄ．該通路を覆うガス透過性で水不透過性の膜と、
ｅ．前記潤滑剤と該水不透過性の膜の間の通路内に配置された繊維状収着剤と
を含む、ベント付自動車用ギアケース。
【請求項２】
前記膜がｅＰＴＦＥを含む、請求項１に記載のベント付自動車用ギアケース。
【請求項３】
前記膜が前記筐体内部から６インチ未満である、請求項１に記載のベント付自動車用ギアケース。
【請求項４】
前記膜が疎油性である、請求項１に記載のベント付自動車用ギアケース。
【請求項５】
前記繊維状収着剤が天然繊維を含む、請求項１に記載のベント付自動車用ギアケース。
【請求項６】
前記天然繊維が綿を含む、請求項５に記載のベント付自動車用ギアケース。
【請求項７】
前記天然繊維がカポックを含む、請求項５に記載のベント付自動車用ギアケース。
【請求項８】
前記天然繊維がトウワタを含む、請求項５に記載のベント付自動車用ギアケース。
【請求項９】
前記天然繊維がウールを含む、請求項５に記載のベント付自動車用ギアケース。
【請求項１０】
前記繊維状収着剤が合成繊維を含む、請求項１に記載のベント付自動車用ギアケース。
【請求項１１】
前記合成繊維が、ポリプロピレン、ポリエチレン、レーヨン、ナイロン６、ナイロン６６を含む群より選択される、請求項１０に記載のベント付自動車用ギアケース。
【請求項１２】
前記合成繊維がポリエチレンを含む、請求項１１に記載のベント付自動車用ギアケース。
【請求項１３】
前記繊維状収着剤が天然繊維と合成繊維を含む、請求項１に記載のベント付自動車用ギアケース。
【請求項１４】
前記繊維状収着剤が内部の空きスペースを有する繊維を含む、請求項１に記載のベント付自動車用ギアケース。
【請求項１５】
前記繊維状収着剤が中空繊維を含む、請求項１に記載のベント付自動車用ギアケース。
【請求項１６】
前記繊維状収着剤が表面の特徴を有する繊維を含む、請求項１に記載のベント付自動車用ギアケース。
【請求項１７】
前記繊維状収着剤が疎水性である、請求項１に記載のベント付自動車用ギアケース。
【請求項１８】
前記繊維状収着剤が親油性である、請求項１に記載のベント付自動車用ギアケース。
【請求項１９】
ａ．内部空間と外部空間を画定し、該内部空間が潤滑剤を含む流体密封のハウジングと、
ｂ．通路を有する本体を含むベントと、
ｃ．該通路を覆うガス透過性で水不透過性の膜と、
ｄ．該通路内に配置され、該膜の第１の側面に隣接する繊維状収着剤であって、その繊維が気孔を有する繊維状収着剤と
を含む、ベント付機械装置の筐体。
【請求項２０】
前記膜がｅＰＴＦＥを含む、請求項１９に記載のベント付機械装置の筐体。
【請求項２１】
前記膜が前記筐体内部から６インチ未満である、請求項１９に記載のベント付機械装置の筐体。
【請求項２２】
前記膜が疎油性である、請求項１９に記載のベント付機械装置の筐体。
【請求項２３】
前記繊維状収着剤が天然繊維を含む、請求項１９に記載のベント付機械装置の筐体。
【請求項２４】
前記天然繊維が綿を含む、請求項２３に記載のベント付機械装置の筐体。
【請求項２５】
前記天然繊維がカポックを含む、請求項２３に記載のベント付機械装置の筐体。
【請求項２６】
前記天然繊維がトウワタを含む、請求項２３に記載のベント付機械装置の筐体。
【請求項２７】
前記天然繊維がウールを含む、請求項２３に記載のベント付機械装置の筐体。
【請求項２８】
前記繊維状収着剤が合成繊維を含む、請求項１９に記載のベント付機械装置の筐体。
【請求項２９】
前記繊維状収着剤が天然繊維と合成繊維を含む、請求項１９に記載のベント付機械装置の筐体。
【請求項３０】
前記合成繊維が、ポリプロピレン、ポリエチレン、レーヨン、ナイロン６、及びナイロン６６を含む群より選択される、請求項２８又は２９に記載のベント付機械装置の筐体。
【請求項３１】
前記合成繊維がポリエチレンを含む、請求項３０に記載のベント付機械装置の筐体。
【請求項３２】
前記繊維状収着剤が内部の空きスペースを有する繊維を含む、請求項１９に記載のベント付機械装置の筐体。
【請求項３３】
前記繊維状収着剤が中空繊維を含む、請求項１９に記載のベント付機械装置の筐体。
【請求項３４】
前記繊維状収着剤が表面の特徴を有する繊維を含む、請求項１９に記載のベント付機械装置の筐体。
【請求項３５】
前記繊維状収着剤が疎水性である、請求項１９に記載のベント付機械装置の筐体。
【請求項３６】
前記繊維状収着剤が親油性である、請求項１９に記載のベント付機械装置の筐体。
【請求項３７】
ａ．通路を有する本体と、
ｂ．該通路を覆うガス透過性で水不透過性の膜と、
ｃ．機械装置の空間と該膜の間の通路内に配置された繊維状収着剤と
を含む、機械装置の空間のためのベント。
【請求項３８】
前記膜がｅＰＴＦＥを含む、請求項３７に記載のベント。
【請求項３９】
前記膜が筐体内部から６インチ未満である、請求項３７に記載のベント。
【請求項４０】
前記膜が疎油性である、請求項３７に記載のベント。
【請求項４１】
前記繊維状収着剤が天然繊維を含む、請求項３７に記載のベント。
【請求項４２】
前記天然繊維が綿を含む、請求項４１に記載のベント。
【請求項４３】
前記天然繊維がカポックを含む、請求項４１に記載のベント。
【請求項４４】
前記天然繊維がトウワタを含む、請求項４１に記載のベント。
【請求項４５】
前記天然繊維がウールを含む、請求項４１に記載のベント。
【請求項４６】
前記繊維状収着剤が合成繊維を含む、請求項３７に記載のベント。
【請求項４７】
前記繊維状収着剤が天然繊維と合成繊維を含む、請求項３７に記載のベント。
【請求項４８】
前記合成繊維が、ポリプロピレン、ポリエチレン、レーヨン、ナイロン６、及びナイロン６６を含む群より選択される、請求項４６又は４７に記載のベント。
【請求項４９】
前記合成繊維がポリエチレンを含む、請求項４８に記載のベント。
【請求項５０】
前記繊維状収着剤が内部の空きスペースを有する繊維を含む、請求項３７に記載のベント。
【請求項５１】
前記繊維状収着剤が中空繊維を含む、請求項３７に記載のベント。
【請求項５２】
前記繊維状収着剤が表面の特徴を有する繊維を含む、請求項３７に記載のベント。
【請求項５３】
前記繊維状収着剤が疎水性である、請求項３７に記載のベント。
【請求項５４】
前記繊維状収着剤が親油性である、請求項３７に記載のベント。
【請求項５５】
筐体内部と周囲空気の間をガスが通過するための通路と、該通路をシールする多孔質膜とを収容するタイプの機械装置の筐体のための改善されたベントであって、該膜と該筐体内部の間の通路内に配置された繊維状収着剤を含む、ベント。
【請求項５６】
機械装置の空間内部からガスをベントするための通路と該通路を覆う多孔質膜とを提供するタイプの機械装置の空間をベントする方法において、該膜と該機械装置の空間内部の間に繊維状収着剤を提供することを含む、改善された方法。
【請求項５７】
前記膜に積層された支持材料をさらに含む、請求項１に記載のベント付自動車用ギアケース。
【請求項５８】
前記膜に積層された支持材料をさらに含む、請求項１９に記載のベント付機械装置の筐体。
【請求項５９】
前記膜に積層された支持材料をさらに含む、請求項３９に記載のベント。